(57)【要約】【課題】湯水吐出装置に装着された水タンクのドレン部と湯水吐出装置のドレン受け口との間をパッキンでシールしながら、水タンクのドレン部が上方に引き抜かれる際に湯水吐出装置が共に持ち上げられることを防止する。【解決手段】パッキン１５のシール面１５ｃを有する舌片部１５ｂは、ドレン受け口１４に差し込まれるドレン部２１によりそのシール面１５ｃと外周シール面２３との接触を維持しながら外側に逃げ、ドレン部２１が開くと、その逃げた舌片部１５ｂの裏側に空いている環状空間４０と水タンク２０の内部とが連通し、舌片部１５ｂが裏側から水圧を受けることでシール面１５ｃが外周シール面２３に押し付けられ、シール面１５ｃと外周シール面２３間のシールに要するシール力と比して、パッキン１５の弾性のみに由来する弾性シール力は小さいが、舌片部１５ｂが水圧を受けた瞬間にシール面１５ｃの押し付けによる補助シール力が付加され、外周シール面２３との間のシールが得られるようにした。【選択図】図１
2008279192.tif 000002
【特許請求の範囲】
【請求項１】
管路内の水を加熱して吐出する湯水吐出装置と、この湯水吐出装置に着脱される水タンクとを備え、前記水タンクのドレン部が前記湯水吐出装置のドレン受け口に上下に抜き差し可能であり、前記ドレン部の外周と前記ドレン受け口との間が当該ドレン受け口に装着されたパッキンでシールされる飲料抽出装置において、
前記パッキンが、前記ドレン受け口のパッキンケース部との間をシールする環状部と、この環状部から内側に延びた舌片部とを有し、その舌片部が、前記ドレン部の外周シール面との間に締め代をもったシール面を有し、前記舌片部は、前記ドレン受け口に差し込まれる前記ドレン部によりそのシール面と外周シール面との接触を維持しながら外側に逃げ、前記ドレン部が開くと、その逃げた当該舌片部の裏側に空いている環状空間と前記水タンクの内部とが連通し、当該舌片部が裏側から水圧を受けることで当該シール面が当該外周シール面に押し付けられるようになっており、前記舌片部のシール面と前記ドレン部の外周シール面間のシールに要するシール力と比して、前記パッキンの弾性のみに由来する弾性シール力が小さくなっており、当該舌片部が水圧を受けた瞬間に前記シール面の押し付けによる補助シール力が付加されて当該外周シール面との間のシールが得られることを特徴とする飲料抽出装置。
【請求項２】
前記パッキンの前記環状部が、前記パッキンケース部との間に隙間を生じた架橋部分を有し、前記舌片部の付け根が前記架橋部分に位置する請求項１に記載の飲料抽出装置。
【発明の詳細な説明】
【技術分野】
【０００１】
この発明は、家庭用のコーヒーメーカに代表され、管路内の水を加熱して吐出する湯水吐出装置と、この湯水吐出装置に着脱される水タンクとを備えた飲料抽出装置に関する。
【背景技術】
【０００２】
この種の飲料抽出装置の中には、水タンクのドレン部が湯水吐出装置のドレン受け口に上下に抜き差し可能であり、そのドレン部とドレン受け口間が当該ドレン受け口に装着されたパッキンでシールされるようになったものがある。
湯水吐出装置の管路は、ドレン受け口から吐出口まで連通している。ドレン部がドレン受け口に差し込まれると、管路に水が供給される。ドレン受け口及び管路は、吐出口を除いてハウジング内に設置されており、ハウジング内で管路が加熱装置に加熱され、この領域を管路内の水が通過する間に水温が上がり、吐出口に至る。湯水の吐出中、ドレン部とドレン受け口とは連通しており、吐出量に応じてドレン部から給水が継続されるようになっている。
【０００３】
図７に示すように、従来のパッキン７０は、湯水吐出装置のドレン受け口７１のパッキンケース部７２との間をシールする環状部７３を有している。この環状部７３は、パッキン押さえ７４によりパッキンケース部７２に押し付けられている。環状部７３の内周に、水タンクのドレン部７５の外周シール面７６に対して締め代ｕをもったシール面７７が形成されている。
【０００４】
【特許文献１】特開２００５−３２９０３４号公報（図１〜図４、段落００１４〜１５）
【発明の開示】
【発明が解決しようとする課題】
【０００５】
しかしながら、図７に示すような従来の飲料抽出装置は、環状部のシール面とドレン部の外周シール面間のシールに要するシール力を全てパッキンの弾性のみに由来する弾性シール力で得ている。前記のシール力は、水タンクの内部の水量に関らず安定したシールが得られるようにするため、きつく設定されている。それ故、水タンクのドレン部が上方に引き抜かれる際に、ドレン部とパッキンとの間で相対滑りが旨く行かず、湯水吐出装置が水タンクと共に持ち上げられることが稀にある。このような事態が生じると、やがてドレン部がパッキンから抜けて湯水吐出装置がテーブル上に急落下することになり、好ましくない。
【０００６】
そこで、この発明の課題は、湯水吐出装置に装着された水タンクのドレン部と湯水吐出装置のドレン受け口との間をパッキンでシールしながら、水タンクのドレン部が上方に引き抜かれる際に湯水吐出装置が共に持ち上げられることを防止することにある。
【課題を解決するための手段】
【０００７】
上記の課題を解決するため、この発明は、管路内の水を加熱して吐出する湯水吐出装置と、この湯水吐出装置に着脱される水タンクとを備え、前記水タンクのドレン部が前記湯水吐出装置のドレン受け口に上下に抜き差し可能であり、前記ドレン部の外周と前記ドレン受け口との間が当該ドレン受け口に装着されたパッキンでシールされる飲料抽出装置において、前記パッキンが、前記ドレン受け口のパッキンケース部との間をシールする環状部と、この環状部から内側に延びた舌片部とを有し、その舌片部が、前記ドレン部の外周シール面との間に締め代をもったシール面を有し、前記舌片部は、前記ドレン受け口に差し込まれる前記ドレン部によりそのシール面と外周シール面との接触を維持しながら外側に逃げ、前記ドレン部が開くと、その逃げた当該舌片部の裏側に空いている環状空間と前記水タンクの内部とが連通し、当該舌片部が裏側から水圧を受けることで当該シール面が当該外周シール面に押し付けられるようになっており、前記舌片部のシール面と前記ドレン部の外周シール面間のシールに要するシール力と比して、前記パッキンの弾性のみに由来する弾性シール力が小さくなっており、当該舌片部が水圧を受けた瞬間に前記シール面の押し付けによる補助シール力が付加されて当該外周シール面との間のシールが得られる構成を特徴とするものである。
【０００８】
この発明によれば、前記水タンクのドレン部の外周シール面と、前記ドレン受け口に装着されたパッキンの舌片部のシール面との間に締め代があるため、舌片部は、差し込まれるドレン部により外側に押し退けられ、そのシール面と外周シール面との接触を維持しながら外側に逃げる。
ドレン部が開くと、その逃げた当該舌片部の裏側に空いている環状空間と前記水タンクの内部とが連通するが、シール面と外周シール面との接触が維持されているため、ドレン部からの水は環状空間に充満することができる。
その結果、舌片部は、その裏側から水圧を受け、水タンク内の残水量に応じた水圧の影響で、舌片部のシール面がドレン部の外周シール面に押し付けられる。すなわち、舌片部のシール面とドレン部の外周シール面間の補助シール力が得られる。
したがって、舌片部のシール面とドレン部の外周シール面間のシールに要するシール力と比して、外側に逃げる舌片部にシール面を有するパッキンとすることにより、そのパッキンの弾性のみに由来する弾性シール力を小さくすることができる。
この弾性シール力が小さくなっても、当該舌片部が水圧を受けた瞬間に前記の補助シール力が付加されて当該外周シール面との間のシールが得られるので、水タンク内の残水量にかかわらず漏水の心配はない。
ここで、水タンクが湯水吐出装置から離脱されるのは、通常、空か残水量が少ない状態だから、水圧を利用して補助シール力を得ておけば、ドレン部がドレン受け口から上方に引き抜かれる際は、上記補助シール力が無くなっているか、非常に小さくなっている。すなわち、従来例よりも上記の弾性シール力が小さくなっており、パッキンのシール面とドレン部の外周シール面とは、相対滑りを容易に行うことができる。
【０００９】
前記パッキンの前記環状部が前記パッキンケース部との間に隙間を生じた架橋部分を有し、前記舌片部の付け根が前記架橋部分に位置する構成を採用すれば、前記水タンクが傾いて差し込まれるとき、前記の架橋部分が柔軟に外側に撓み、傾きを吸収するため、シール面と外周シール面との接触が維持され易くなる。
【発明の効果】
【００１０】
以上に述べたように、この発明は、上記特徴的構成の採用により、パッキン自体が有する弾性シール力を舌片部にシール面を形成することで弱めながら、本来必要なシール力に不足する分を、シールすべき水圧を利用してパッキンにシール力を付加することでシールを得るようにしたため、湯水吐出装置に装着された水タンクのドレン部と湯水吐出装置のドレン受け口との間をパッキンでシールしながら、水タンクのドレン部が上方に引き抜かれる際のドレン部とパッキンとの間で相対滑りが容易に行われるようになり、湯水吐出装置が共に持ち上げられることを防止することができる。
【発明を実施するための最良の形態】
【００１１】
以下、この発明の第１実施形態に係る飲料抽出装置を添付図面に基づいて説明する。
図１、図２に示すように、第１実施形態に係る飲料抽出装置は、管路１１内の水を加熱して吐出する湯水吐出装置１０と、この湯水吐出装置１０に着脱される水タンク２０と、湯水吐出装置１０の加熱板１２と吐出口１３の間に載置される抽出容器セット３０とを備えている。
【００１２】
水タンク２０のドレン部２１が湯水吐出装置１０のドレン受け口１４に上下に抜き差しされ、そのドレン部２１とドレン受け口１４間が当該ドレン受け口１４に装着されたパッキン１５でシールされる。
【００１３】
湯水吐出装置１０の管路１１は、ドレン受け口１４から吐出口１３まで連通している。ドレン部２１がドレン受け口１４に上方から差し込まれると、ドレン部２１の弁２２がドレン受け口１４の弁操作部１６に押し上げられて開弁され、水タンク２０内の水が管路１１に供給されるようになっている。なお、湯水吐出装置１０が運転されない限り、管路１１内の水は、流れないようになっている。
【００１４】
ドレン受け口１４及び管路１１は、吐出口１３を除いて湯水吐出装置１０のハウジング内に設置されており、ハウジング内で管路１１が電熱ヒータからなる加熱装置１７に加熱され、この領域を管路１１内の水が通過する間に水温が上がり、その圧力上昇により揚水管を上り、吐出口１３に至る。湯水の吐出中、水タンク２０の重量でドレン部２１の弁２２の開弁は維持されるようになっており、水タンク２０の内部とドレン受け口１４とは連通し、吐出量に応じてドレン部２１から給水が継続されるようになっている。
【００１５】
抽出容器セット３０は、加熱板１２上に載置されるジャグ３１と、ジャグ３１の上端口に設置されるドリッパ３２とからなる。なお、ドリッパ３２は、湯水吐出装置１０側に設けることも可能である。
【００１６】
パッキン１５は、図１、図３に示すように、ドレン受け口１４のパッキンケース部１８との間をシールする環状部１５ａを有している。この環状部１５ａは、図２に示すように、パッキン押さえ１９によりパッキンケース部１８に押し付けられてパッキンケース部１８との間をシールしている。
パッキン１５は、図１、図３に示すように、環状部１５ａから内側に延びた舌片部１５ｂを有し、環状部１５ａと舌片部１５ｂとで舌片部１５ｂの裏側に環状空間４０が形成されたものになっている。
【００１７】
ここで、図１（ｂ）においては、ドレン部２１の外周シール面２３とパッキン１５とが接触する前の状態を実線で示し、接触後の状態を２点鎖線で示している。
図１（ｂ）、図３に示すように、前記舌片部１５ｂは、環状部１５ａから内側に延びた後、下側に延びた形状とされており、ドレン部２１の外周シール面２３に対して締め代ｕをもったシール面１５ｃを有している。
この締め代ｕは、ドレン部２１が上下方向に対し許容範囲内で傾いて差し込まれても、確実に外周シール面２３に接触するが、その接触状態でも環状空間４０を塞ぐことがないように設定されている。
舌片部１５ｂは、ドレン受け口１４に差し込まれるドレン部２１によりそのシール面１５ｃと外周シール面２３との接触を維持しながら外側に逃げることができる。
【００１８】
舌片部１５ｂのシール面１５ｃは、当該舌片部１５ｂの付け根１５ｄから先端側に距離ｄを有する。これにより、舌片部１５ｂが外側に逃げることにより、シール面１５ｃが舌片部１５ｂの付け根より大きく外側に逃げるようになっている。すなわち、シール面１５ｃの位置において、パッキン１５の弾性のみに由来する弾性シール力が弱められている。
【００１９】
図１（ａ）中に１点矢線で示すように、環状空間４０は、ドレン受け口１４の内部空間を構成しており、ドレン部２１が開くと、ドレン部２１から供給された水が環状空間４０にも入り込む。
逃げた舌片部１５ｂのシール面１５ｃと外周シール面２３との接触が維持されるため、環状空間４０にドレン部２１からの水が充満することができる。
ここで、図１（ａ）においては、環状空間４０に水が充満した瞬間の状態の舌片部１５ｂを実線で示し、ドレン部２１が開いた瞬間の状態の舌片部１５ｂを２点鎖線で示している。
図１（ａ）、図２に示すように、環状空間４０に水が充満した結果、舌片部１５ｂは、図１（ａ）中に２点鎖線で描いた状態においてその裏側から水タンク２０内の残水量に応じた水圧を受け、図１（ａ）中に実線で描くようにドレン部２１側に押され、シール面１５ｃがドレン部２１の外周シール面２３に押し付けられる。これにより、舌片部１５ｂのシール面１５ｃとドレン部２１の外周シール面２３間の補助シール力が得られる。
【００２０】
上記の構成を有するパッキン１５の弾性のみに由来する弾性シール力は、舌片部１５ｂのシール面１５ｃとドレン部２１の外周シール面２３間のシールに要するシール力と比して小さくなっている。
このシール力に対する弾性シール力の不足シール力分は、当該舌片部１５ｂが水圧を受けた瞬間に前記の補助シール力が付加されることで補われ、当該外周シール面２３との間のシールが得られる。このため、水タンク２０内の残水量にかかわらず、ドレン受け口１４の外に漏水しない。
【００２１】
上記の構成を有する第１実施形態に係る飲料抽出装置は、通常、空か残水量が少ない状態で水タンク２０が湯水吐出装置１０から離脱されるため、水圧を利用した上記補助シール力が無くなっているか、非常に小さくなっており、ドレン部２１がドレン受け口１４から上方に引き抜かれる際、概ねパッキン１５の弾性シール力のみによるシール力になっており、パッキン１５のシール面１５ｃとドレン部２１の外周シール面２３とが相対滑りを容易に行うことができる。
また、ドレン部２１が閉じられると、実質的に上記補助シール力が無くなるため、万が一、湯水吐出装置１０が持ち上がったとしても、従来より低い高度に留まり易い。
【００２２】
この第１実施形態は、パッキン１５の舌片部１５ｂと環状部１５ａとが平行に形成されることで環状空間４０が円環状に形成されているが、環状空間の水圧によるシール補助作用を得ることができる限り、適宜に他の構造を採用することができる。
【００２３】
例えば、図４に示すように、この発明に係る第２実施形態は、パッキン５０の舌片部５１を上下方向に対し傾斜するように延ばし、その先端部分でもドレン部２１の外周シール面２３に接触するように構成されている。
【００２４】
また、図５に示すように、この発明に係る第３実施形態は、パッキン６０の環状部６１を上下に短くし、舌片部６２の付け根外側と環状部６１の下端とに上側パッキン押さえ６３を押し当て、その上側パッキン押さえ６３を下側パッキン押さえ６４で固定した構成になっている。上側パッキン押さえ６３は、パッキン６０の素材より剛性に優れた剛性樹脂、金属環等から形成されており、環状部６１の支持剛性が高められている。
【００２５】
また、図６に示すように、この発明に係る第４実施形態は、パッキン８０の環状部８１が、ドレン受け口１４のパッキンケース部１８との間に隙間ｇを生じた架橋部分８２を有し、舌片部８３の付け根８４が架橋部分８２に位置する構成になっている。
図６中に二点鎖線で示すように、水タンクのドレン部２１が上下方向に対して傾いて差し込まれるとき、前記の架橋部分８２が柔軟に撓み、傾きを吸収する。このため、第４実施形態は、舌片部８３にシール面を形成することでパッキン８０の上記弾性シール力を弱くしても、舌片部８３のシール面とドレン部２１の外周シール面との接触が維持され易い。
【図面の簡単な説明】
【００２６】
【図１】ａは第１実施形態に係る飲料抽出装置のパッキンがシールした瞬間を示す縦断面図、ｂはａのドレン受け口にドレン部が差し込まれる途中を示した縦断面図
【図２】第１実施形態に係る飲料抽出装置の全体構成図
【図３】ａは図１のパッキンの全体斜視図、ｂは図１のパッキンの拡大縦断面図
【図４】第２実施形態に係る飲料抽出装置のパッキンを示す縦断面図
【図５】第３実施形態に係る飲料抽出装置のパッキンを示す縦断面図
【図６】第４実施形態に係る飲料抽出装置のパッキンを示す縦断面図
【図７】従来例の飲料抽出装置のパッキンを示す縦断面図
【符号の説明】
【００２７】
１０  湯水吐出装置
１１  管路
１２  加熱板
１３  吐出口
１４、７１  ドレン受け口
１５、５０、６０、７０、８０  パッキン
１５ａ、６１、７３、８１  環状部
１５ｂ、５１、６２、８３  舌片部
１５ｃ、７７  シール面
１５ｄ、８４  付け根
１６  弁操作部
１７  加熱装置
１８、７２  パッキンケース部
１９、７４  パッキン押さえ
２０  水タンク
２１、７５  ドレン部
２２  弁
２３、７６  外周シール面
３０  抽出容器セット
３１  ジャグ
３２  ドリッパ
４０  環状空間
６３  上側パッキン押さえ
６４  下側パッキン押さえ
【図１】
2008279192.tif 000003
【図２】
2008279192.tif 000004
【図３】
2008279192.tif 000005
【図４】
2008279192.tif 000006
【図５】
2008279192.tif 000007
【図６】
2008279192.tif 000008
【図７】
2008279192.tif 000009